(57)【要約】      （修正有）【課題】合成樹脂製の櫛部の熱膨張による変形や、櫛部のがたつきを防止することができるヘアアイロンを提供する。【解決手段】ヘアアイロン１は、ハンドル部２と、ハンドル部に接合した棒状のアイロン部３と、アイロン部の先端部に接合したキャップ部４とを有し、アイロン部の表面に合成樹脂製の櫛部１０が突設されたヘアアイロンであって、櫛部は、一方の端部がＬ字状に屈曲している基部１１と、櫛歯部１２とからなり、アイロン部は、櫛部の基部が嵌合する溝部を有し、櫛部の基部が溝部に嵌合した状態において、Ｌ字状に屈曲した端部が、上記ハンドル部とアイロン部との接合部に挟まれて保持され、キャップ部は、櫛部の基部の他方の端部が挿入されて保持される凹部１５を有し、アイロン部の先端部にキャップ部が接合された状態において、凹部の最奥部と上記櫛部の基部の先端部との間に空隙部１７が存在する。【選択図】図１
0003206119.tif 000002
【実用新案登録請求の範囲】
【請求項１】
ハンドル部と、このハンドル部に接合した棒状のアイロン部と、このアイロン部の先端部に接合したキャップ部とを有し、前記アイロン部の表面に合成樹脂製の櫛部が１本以上突設されたヘアアイロンであって、
前記櫛部は、一方の端部がＬ字状に屈曲している以外はほぼ直線状である棒状の基部と、この基部から垂直方向に伸びる複数の櫛歯部とからなり、
前記アイロン部は、側表面の軸方向に、前記櫛部の基部が嵌合する溝部を有し、
前記櫛部の基部の直線状部分が前記アイロン部の溝部に嵌合した状態において、前記櫛部の基部のＬ字状に屈曲した端部が、前記ハンドル部とアイロン部との接合部に挟まれて保持され、
前記キャップ部は、前記櫛部の基部のＬ字状に屈曲した端部が前記ハンドル部とアイロン部との接合部に保持された状態において、前記櫛部の基部の他方の端部が挿入されて保持される凹部を有し、アイロン部の先端部にキャップ部が接合された状態において、前記凹部の最奥部と前記櫛部の基部の先端部との間に空隙部が存在する
ことを特徴とする、ヘアアイロン。
【請求項２】
前記ハンドル部が、ハンドル本体と、前記アイロン部が係止する係止部とを有し、前記櫛部の基部のＬ字状に屈曲した端部が、前記係止部とアイロン部とに挟まれて保持されることを特徴とする、請求項１に記載のヘアアイロン。
【請求項３】
前記係止部が、ハンドル部に対して、着脱自在であることを特徴とする、請求項２に記載のヘアアイロン。
【請求項４】
前記アイロン部の溝部は、その開口部の幅が溝内部の幅より狭い形状であることを特徴とする、請求項１〜３のいずれか１項に記載のヘアアイロン。
【考案の詳細な説明】
【技術分野】
【０００１】
本考案はヘアアイロンに関し、より詳細にはアイロン部に櫛を有する櫛付きのヘアアイロンに関する。
【背景技術】
【０００２】
毛髪のスタイリングにおいて、各個人の好みに合わせてストレートヘアやカールヘアにセットするためにヘアアイロンが用いられている。特にカールヘアにセットする際には、毛髪をヘアアイロンにより効率的に絡ませることを目的として、櫛付きのヘアアイロンが用いられ、例えば、下記特許文献１に示されたヘアアイロンが、従来から知られている。すなわち、当該特許文献１に示されたヘアアイロンは、柄の先端に取り付けられ、内部にヒータを備えた筒状加熱体の周囲長さ方向に沿って複数本の楔形溝を等間隔に形成し、これら各溝にそれぞれ櫛部材の基部を着脱自在に挿着されたことを特徴とするヘアーカール器であって、櫛歯状部材を多数個並列させた櫛部材を筒状加熱体に対して着脱自在に形成したものである。
【先行技術文献】
【特許文献】
【０００３】
【特許文献１】実開昭５５−１１５６０１号公報
【考案の概要】
【考案が解決しようとする課題】
【０００４】
しかしながら、上記特許文献１に示すヘアアイロンにおいては、ヘアアイロンの発熱により、合成樹脂製の櫛部材が膨張し、中央部付近が外側にたわむ等して変形するという問題がある。また、合成樹脂製の櫛部材の膨張を考慮し、寸法に余裕を持たせると、櫛部材のがたつきが生じるという問題があった。
【０００５】
そこで、本考案者は、上記の問題点に鑑み、合成樹脂製の櫛部の熱膨張による変形や、櫛部のがたつきを防止することができるヘアアイロンを提供することを課題とする。
【課題を解決するための手段】
【０００６】
本考案の請求項１に係るヘアアイロンは、ハンドル部と、このハンドル部に接合した棒状のアイロン部と、このアイロン部の先端部に接合したキャップ部とを有し、上記アイロン部の表面に合成樹脂製の櫛部が１本以上突設されたヘアアイロンであって、上記櫛部は、一方の端部がＬ字状に屈曲している以外はほぼ直線状である棒状の基部と、この基部から垂直方向に伸びる複数の櫛歯部とからなり、上記アイロン部は、側表面の軸方向に、上記櫛部の基部が嵌合する溝部を有し、上記櫛部の基部の直線状部分が上記アイロン部の溝部に嵌合した状態において、上記櫛部の基部のＬ字状に屈曲した端部が、上記ハンドル部とアイロン部との接合部に挟まれて保持され、上記キャップ部は、上記櫛部の基部のＬ字状に屈曲した端部が上記ハンドル部とアイロン部との接合部に保持された状態において、上記櫛部の基部の他方の端部が挿入されて保持される凹部を有し、アイロン部の先端部にキャップ部が接合された状態において、上記凹部の最奥部と上記櫛部の基部の先端部との間に空隙部が存在することを特徴とするものである。
【０００７】
本考案の請求項２に係るヘアアイロンは、上記ハンドル部が、ハンドル本体と、上記アイロン部が係止する係止部とを有し、上記櫛部の基部のＬ字状に屈曲した端部が、上記係止部と上記アイロン部とに挟まれて保持されることを特徴とするものである。
【０００８】
本校案の請求項３に係るヘアアイロンは、上記係止部が、ハンドル部に対して、着脱自在であることを特徴とするものである。
【０００９】
本考案の請求項４に係るヘアアイロンは、上記アイロン部の溝部は、その開口部の幅が溝内部の幅より狭い形状であることを特徴とするものである。
【考案の効果】
【００１０】
本考案に係るヘアアイロンは、櫛部の基部のＬ字状に屈曲した端部が、ハンドル部とアイロン部との接合部に挟まれて保持され、かつ、アイロン部の先端部にキャップ部が接合された状態において、上記凹部の最奥部と櫛部の基部の先端部との間に空隙部が存在する構成にしたことにより、合成樹脂製の櫛部の熱膨張による変形や、櫛部のがたつきを防止することができる。
【図面の簡単な説明】
【００１１】
【図１】本考案の実施例に係るヘアアイロンの内部構造を示す断面図である。
【図２】図１のＡ−Ａ’におけるヘアアイロンの断面図である。
【図３】本考案の実施例に係るヘアアイロンの組み立て工程であって、櫛部を取り付ける工程を示す、斜視図である。
【考案を実施するための形態】
【００１２】
次に本考案の実施形態を添付の図面に基づいて詳細に説明する。
【実施例１】
【００１３】
図１、２に示すヘアアイロン１は、ハンドル部２と、ハンドル部２に接合したアイロン部３と、アイロン部３の先端に接合したキャップ部４とを有し、アイロン部３の表面には８本の合成樹脂製の櫛部１０が突設されている。
【００１４】
ハンドル部２は、棒状をなしており、ハンドル本体１６と、アイロン部３が係止する係止部１４とを有している。また、ハンドル部２は、図１において図示を省略するが、その内部には充電池が収納されており、着脱自在の電源コードを接続すれば、充電できるようになっている。したがって、電源コードが常に接続されている従来のヘアアイロンに比べて、コードレスになるため操作性がよく、コンパクトであって携帯に便利なものとなる。なお、乾電池式としても同様の作用効果が得られる。しかし、電源コードが消費者には取り外せないように接続されているヘアアイロンとしても本考案は実施可能である。
【００１５】
上記櫛部１０は、一方の端部がＬ字状に屈曲している以外はほぼ直線状である棒状の基部１１と、この基部１１から垂直方向に伸びる１２本の櫛歯部１２とからなる。Ｌ字状に屈曲した端部１１ａは、アイロン部３に取り付けられた状態において、アイロン部３の径方向内向きに屈曲している。なお、櫛歯部１２の本数は、特に限定されず、各櫛部１０において、同じ本数であってもよく、異なる本数であってもよい。
【００１６】
図２に示すように、櫛部１０の基部１１の横断面形状は、上底より下底の長い台形であるが、後述する溝部１３の断面形状に嵌合するものであれば、特に限定されず、例えば円形や、楕円形、長円形、三角形、その他の多角形、又はこれらに近い形状とすることもできる。
【００１７】
アイロン部３は、ヒータ５と、径方向外向きに突出する凸部７を有するヒータ取付基台６と、ヒータ５を内蔵する筒状の金属パイプ８と、ヒータ５から金属パイプ８に伝熱する受熱板９とを有している。
【００１８】
前記ヒータ５には、充電池から接続される配線がハンドル部内を通って、接続されている。
【００１９】
上記金属パイプ８は、上記櫛部１０の基部１１が嵌合する溝部１３を、その表面の軸方向に有している。図２に示すように、溝部１３は８本がアイロン部の周方向に等間隔に形成されているが、溝部１３の本数や、溝部１３同士の間隔は、これに限定されない。
【００２０】
また、溝部１３の断面形状は、開口部の幅が底面の幅よりも狭い台形状に形成されている。溝部１３の開口部の幅が、溝部１３の底面の幅よりも狭いことにより、櫛部１０が溝部１３から径方向に脱落するのを防止することができる。従って、溝部１３の断面形状は、これに限定されないが、溝部１３の開口部の幅は、溝部１３の内部の幅よりも狭く形成されていることが好ましい。
【００２１】
上記櫛部１０の基部１１のＬ字状に屈曲した端部１１ａは、ハンドル部２とアイロン部３との接合部に挟まれて保持される。詳細には、ハンドル部２に設けられた係止部１４と、ヒータ取付基台６に形成された、径方向外向きに突出する凸部７とに挟まれて、櫛部１０の基部１１のＬ字状に屈曲した端部１１ａが保持される。Ｌ字状に屈曲した端部１１ａが、上記ハンドル部２とアイロン部３との接合部に挟まれて保持されることにより、櫛部１０のがたつきを防止することができる。
【００２２】
キャップ部４は、上記のように櫛部１０の基部１１のＬ字状に屈曲した端部１１ａが、ハンドル部２とアイロン部３との接合部に挟まれて保持されている状態において、上記櫛部１０の基部１１の他方の端部が挿入されて保持される凹部１５を有している。アイロン部３の先端部にキャップ部４が接合された状態において、上記凹部１５の最奥部と上記櫛部１０の基部１１の先端部との間に空隙部１７が存在する。この空隙部１７を有することにより、基部１１が熱膨張により伸びても、その伸びが空隙部１７内に吸収されるので、変形を防止することができる。
【００２３】
次に、上記ヘアアイロンの組み立て方法の例について、図１，３を用いて説明する。
【００２４】
まず、図１に示すように、金属パイプ８に、ヒータ５を取り付けたヒータ取付基台６を受熱板９と共に挿入し、取付ネジ１８により、金属パイプ８をヒータ取付基台６に取り付ける。次に、図３に示すように、金属パイプ８にキャップ部４を取付ネジ１９により取り付ける。その後、櫛部１０のＬ字状に屈曲した端部１１ａとは他方の端部を、金属パイプ８に設けられた各溝部１３にヒータ取付基台側から挿入し、ヒータ取付基台６の凸部７に、櫛部１０のＬ字状に屈曲した端部１１ａを当接させることにより、アイロン部３を製造する。この際、櫛部１０のＬ字状に屈曲した端部１１ａとは他方の端部は、上記キャップ部４の凹部１５に挿入され、上記凹部１５の最奥部と上記櫛部１０の基部１１の先端部との間に空隙部１７を残しつつ保持されている。
【００２５】
次に、ハンドル部２に、上記のようにして製造したアイロン部３を挿入し、ハンドル部２に設けられた係止部１４にて、基部１１のＬ字状に屈曲した端部１１ａを介して、アイロン部３が係止される。この際、基部１１のＬ字状に屈曲した端部１１ａは、係止部１４と凸部７とによって挟持される。この状態でアイロン部３を、ハンドル部２に取付ボルト２０を用いて固定することにより、ヘアアイロン１を製造することができる。
【変更例】
【００２６】
上記実施例では、基部１１のＬ字状に屈曲した端部１１ａを、アイロン部の径方向内向きに屈曲したものとしたが、これに限定されず、径方向外向きに屈曲したものであってもよい。その場合、例えば、係止部１４に、基部１１のＬ字状に屈曲した端部と嵌合する、径方向外向きに凹んだ凹部を設けることにより、櫛部１０を固定することができる。
【００２７】
上記実施例では、複数の櫛部１０を、それぞれ別部材として形成しているが、各Ｌ字状に屈曲した端部において連結し、一体となった部材として形成することもできる。
【００２８】
また上記実施例では、係止部１４をハンドル本体１６とは別部材として形成しているが、一体として形成することもできる。
【００２９】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００３０】
１………ヘアアイロン
２………ハンドル部
３………アイロン部
４………キャップ部
５………ヒータ
６………ヒータ取付基台
７………凸部
８………金属パイプ
９………受熱板
１０……櫛部
１１……基部
１１ａ…基部のＬ字状に屈曲した端部
１２……櫛歯部
１３……溝部
１４……係止部
１５……凹部
１６……ハンドル本体
１７……空隙部
１８……取付ネジ
１９……取付ネジ
２０……取付ボルト
【図１】
0003206119.tif 000003
【図２】
0003206119.tif 000004
【図３】
0003206119.tif 000005